(57)【要約】【課題】  望遠と広角と接写等が用途に応じたレンズの切換えによって容易にできるリボルバー式のレンズと、それを用いたカメラ、並びにそれを用いた携帯電話およびデジタルカメラを提供する。【解決手段】  円盤状の基体３ａと、基体３ａの中心軸から等距離に配置された複数の異なる非球面レンズ３ｂ、３ｃ、３ｄ、３ｅ、３ｆ、３ｇとを有し、基体３ａおよび複数の異なる非球面レンズ３ｂ、３ｃ、３ｄ、３ｅ、３ｆ、３ｇが一体に形成してなることを特徴とするリボルバー式レンズ３である。【選択図】      図１
2005004170.tif 000002
【特許請求の範囲】
【請求項１】
円盤状の基体と、
前記基体の中心から等距離に配置された複数の異なる非球面レンズとを有し、前記基体および複数の異なる非球面レンズが一体に形成してなることを特徴とするリボルバー式レンズ。
【請求項２】
円盤状の基体と、
前記基体の中心軸から等距離に配置された複数の異なる非球面レンズとを有し、前記基体および複数の異なる非球面レンズが一体に形成してなることを特徴とするリボルバー式レンズ。
【請求項３】
前記基体の中心には回転軸となる凸部が形成されていることを特徴とする請求項１または請求項２に記載のリボルバー式レンズ。
【請求項４】
前記基体の外周には、位置決め用のＶ溝を設けたことを特徴とする請求項１または請求項２に記載のリボルバー式レンズ。
【請求項５】
前記複数の非球面レンズは、前記回転軸に対して直角な水平面上に配置されていることを特徴とする請求項１〜請求項３のいずれか１項に記載のリボルバー式レンズ。
【請求項６】
前記複数の非球面レンズのうち、少なくとも一つは、前記回転軸に沿って互いに段差を有して配置されていることを特徴とする請求項２または請求項３に記載のリボルバー式レンズ。
【請求項７】
前記リボルバー式レンズを指で回転させるためのすべり止め手段を前記リボルバー式レンズ外周の端面に備えており、前記すべり止め手段およびその周辺のエリアが不透明なプラスチックで形成されていることを特徴とする請求項１〜請求項３のいずれか１項に記載のリボルバー式レンズ。
【請求項８】
前記リボルバー式レンズを回転させるためのアクチュエータを前記リボルバー式レンズ外周の端面に備えていることを特徴とする請求項１〜請求項３のいずれか１項に記載のリボルバー式レンズ。
【請求項９】
前記リボルバー式レンズを回転させるためのアクチュエータを前記リボルバー式レンズの回転軸に備えていることを特徴とする請求項１〜請求項３のいずれか１項に記載のリボルバー式レンズ。
【請求項１０】
前記アクチュエータは、モータによって駆動されることを特徴とする請求項８または請求項９に記載のリボルバー式レンズ。
【請求項１１】
前記モータは、ＤＤモータ（ダイレクトドライブモータ）であることを特徴とする請求項１０に記載のリボルバー式レンズ。
【請求項１２】
請求項１〜請求項１１のいずれか１項に記載された前記リボルバー式レンズと、前記リボルバー式レンズの後面を支持するケースと、前面を支持するカバーと、光を電気信号に変換する撮像素子とを備え、
前記Ｖ溝に係合する係合部材を前記ケースに一体に設けたことを特徴とするカメラ。
【請求項１３】
前記カメラは、前記撮像素子が受光する光の光軸上の前記リボルバー式レンズより被写体側に透明体を備え、前記透明体がフィルタまたはレンズの少なくとも一方からなることを特徴とする請求項１２に記載のカメラ。
【請求項１４】
前記透明体は、前記フィルタまたは前記レンズの少なくとも一方を複数備えていることを特徴とする請求項１３に記載のカメラ。
【請求項１５】
請求項１２〜請求項１４のいずれか１項に記載されたカメラを備えたことを特徴とする携帯電話。
【請求項１６】
請求項１２〜請求項１４のいずれか１項に記載されたカメラを備えたことを特徴とするデジタルカメラ。
【発明の詳細な説明】
【技術分野】
【０００１】
本発明は、携帯電話やカメラ等に使用されるリボルバー式レンズおよびそれを用いたカメラ付携帯電話並びにデジタルカメラに関する。
【背景技術】
【０００２】
最近、小さな非球面レンズが開発され、携帯電話のカメラに内蔵され、カメラ付携帯電話として普及しはじめている（例えば、特許文献１参照）。図１３は、従来のカメラ付携帯電話２４０を示し、図１３（ａ）は正面図、図１３（ｂ）は右側面図である。図１３に示すように、このカメラ付携帯電話２４０の上部には、カメラ２１６が内蔵されており、カメラ２１６を覆うカバー２１２を下方にスライドするとカメラ２１６が現われるようになっている。このカメラ２１６のレンズは、１個であり、倍率を変えるにはズーム等の光学式倍率を２〜３倍にして接写仕様に対応している。
【特許文献１】特開２００２−３００２５７号公報（図１）
【発明の開示】
【発明が解決しようとする課題】
【０００３】
しかしながら、光学式による倍率の調節では、望遠と広角と接写といった幅広い仕様のニーズには対応できないという問題があった。
【０００４】
そこで、本発明は、レンズの交換によって望遠と広角と接写等が容易に対応できるリボルバー式のレンズと、それを用いた携帯電話およびデジタルカメラを提供することを課題とする。
【課題を解決するための手段】
【０００５】
前記した課題を解決するために、請求項１に記載された発明に係るリボルバー式レンズは、円盤状の基体と、前記基体の中心から等距離に配置された複数の異なる非球面レンズとを有し、前記基体および複数の異なる非球面レンズが一体に形成してなることを特徴とする。
【０００６】
請求項１に記載された発明によれば、リボルバー式レンズの厚み（焦点距離）が異なる複数の非球面レンズを、円盤状の基体に、基体の中心から等距離に配置させ、円盤状の基体に各非球面レンズを包含させて一体に形成したことにより、望遠や広角や接写等の用途に応じたレンズ交換に利用できる。
【０００７】
請求項２に記載された発明は、円盤状の基体と、前記基体の中心軸から等距離に配置された複数の異なる非球面レンズとを有し、前記基体および複数の異なる非球面レンズが一体に形成してなることを特徴とする。
【０００８】
請求項２に記載された発明によれば、リボルバー式レンズの厚み（焦点距離）が異なる複数の非球面レンズを、円盤状の基体に、基体の中心軸から等距離に配置させ、円盤状の基体に各非球面レンズを包含させて一体に形成したことにより、望遠や広角や接写等の用途に応じたレンズ交換に利用できる。
【０００９】
請求項３に記載された発明は、請求項１または請求項２に記載のリボルバー式レンズであって、前記基体の中心には回転軸となる凸部が形成されていることを特徴とする。
【００１０】
請求項３に記載された発明によれば、基体の中心に凸部を設けたことにより、この凸部を回転軸とすることができるため、リボルバー式レンズを用いたカメラを製造するときは、他の軸や軸受けが不要となり部品点数を減少させ、コスト低減を図ることができる。
【００１１】
請求項４に記載された発明は、請求項１または請求項２に記載のリボルバー式レンズであって、前記基体の外周には、位置決め用のＶ溝を設けたことを特徴とする。
【００１２】
請求項４に記載された発明によれば、基体の外周に、位置決め用のＶ溝を設けたことにより、そのＶ溝に係合部材が係合し、リボルバー式レンズに配置された各レンズのポジションを容易に位置決めできる。
【００１３】
請求項５に記載された発明は、請求項１〜請求項３のいずれか１項に記載のリボルバー式レンズであって、前記複数の非球面レンズは、前記回転軸に対して直角な水平面上に配置されていることを特徴とする。
【００１４】
請求項５に記載された発明によれば、前記複数の非球面レンズは、前記回転軸に対して直角な水平面上に配置されているため、望遠や広角や接写等の用途に応じたレンズ交換に利用できる。
【００１５】
請求項６に記載された発明は、請求項２または請求項３に記載のリボルバー式レンズであって、前記複数の非球面レンズのうち、少なくとも一つは、前記回転軸に沿って互いに段差を有して配置されていることを特徴とする。
【００１６】
請求項６に記載された発明によれば、前記複数の非球面レンズのうち、少なくとも一つは、前記回転軸に沿って互いに段差を有して配置されているため、望遠や広角や接写等の用途に応じたレンズ交換を簡単迅速に、さらに、高精度に行うことができる。
【００１７】
請求項７に記載された発明は、請求項１〜請求項３のいずれか１項に記載の発明において、前記リボルバー式レンズを指で回転させるためのすべり止め手段を前記リボルバー式レンズ外周の端面に備えており、前記すべり止め手段およびその周辺のエリアが不透明なプラスチックで形成されていることを特徴とする。
【００１８】
請求項７に記載された発明によれば、すべり止め手段およびその周辺のエリアが不透明なプラスチックで形成されているため、セレーション（またはローレット）およびその周辺から光が漏れて、光がカメラ内に進入するのを防ぐことができる。また、前記すべり止め手段は、リボルバー式レンズ外周の端面に刻まれたセレーションまたはローレットである。
【００１９】
請求項８に記載された発明は、請求項１〜請求項３のいずれか１項に記載の発明において、前記リボルバー式レンズを回転させるためのアクチュエータを前記リボルバー式レンズ外周の端面に備えていることを特徴とする。
【００２０】
請求項８に記載された発明によれば、リボルバー式レンズが、アクチュエータによって回転するため、リボルバー式レンズを外光から遮断して設けることができる。これにより、外光がカメラ内にはいることを防止することができる。
【００２１】
請求項９に記載された発明は、請求項１〜請求項３のいずれか１項に記載の発明において、前記リボルバー式レンズを回転させるためのアクチュエータを前記リボルバー式レンズの回転軸に備えていることを特徴とする。
【００２２】
請求項９に記載された発明によれば、アクチュエータを回転軸に備えたため、カメラのサイズを小さくすることができる。また、リボルバー式レンズの回転軸をダイレクト駆動させることができるため、モータが回転軸と一体に設けられ、カメラサイズをさらにコンパクトにすることができる。
【００２３】
請求項１０に記載された発明は、請求項８または請求項９に記載の発明において、前記アクチュエータは、モータによって駆動されることを特徴とする。
【００２４】
請求項１０に記載された発明によれば、リボルバー式レンズが、アクチュエータによって回転するため、リボルバー式レンズを外光から遮断して設けることができる。これにより、外光がカメラ内にはいることを防止することができる。
【００２５】
請求項１１に記載された発明は、請求項１０に記載の発明において、前記モータは、ＤＤモータ（ダイレクトドライブモータ）であることを特徴とする。
【００２６】
請求項１１に記載された発明によれば、アクチュエータを回転軸に備えたため、カメラのサイズを小さくすることができる。
【００２７】
請求項１２に記載された発明のカメラは、請求項１〜請求項１１のいずれか１項に記載された前記リボルバー式レンズと、このリボルバー式レンズの後面を支持するケースと、前面を支持するカバーと、光を電気信号に変換する撮像素子とを備え、前記Ｖ溝に係合する係合部材を前記ケースに一体に設けたことを特徴とする。
【００２８】
請求項１２に記載された発明によれば、前記リボルバー式レンズと、このリボルバー式レンズの後面を支持するケースと、前面を支持するカバーと、光を電気信号に変換する撮像素子とを備え、前記Ｖ溝に係合する係合部材を前記ケースに一体に設けたことにより、望遠や広角や接写等の撮影に対応できるカメラを提供することができる。
なお、撮像素子は、ＣＣＤ（Charge coupled device）や、ＣＣＤより消費電力の少ないＣＭＯＳ（Complementary Metal Oxide Semi-conductor）をいう。
【００２９】
請求項１３に記載された発明のカメラは、請求項１２に記載の発明において、前記カメラは、前記撮像素子が受光する光の光軸上の前記リボルバー式レンズより被写体側に透明体を備え、前記透明体がフィルタまたはレンズの少なくとも一方からなることを特徴とする。
【００３０】
請求項１３に記載された発明によれば、前記透明体がフィルタまたはレンズの少なくとも一方からなるため、望遠や広角や接写等の用途に応じたレンズ交換を簡単迅速に、さらに高精度に行うことができるとともに、フィルタまたはレンズに模様や色彩が施されたものを用いることができる。
【００３１】
請求項１４に記載された発明のカメラは、請求項１３に記載の発明において、前記透明体は、前記フィルタまたは前記レンズの少なくとも一方を複数備えていることを特徴とする。
【００３２】
請求項１４に記載の発明によれば、前記フィルタまたは前記レンズの少なくとも一方を複数備えているため、望遠や広角や接写等の用途に応じたレンズ交換を簡単迅速に、さらに、高精度に行うことができるとともに、フィルタまたはレンズに模様や色彩が施されたものを用いることができる。
【００３３】
請求項１５に記載された発明の携帯電話は、請求項１２〜請求項１４のいずれか１項に記載されたカメラを備えたことを特徴とする。
【００３４】
請求項１５に記載された発明によれば、望遠や広角や接写等の撮影がリボルバー式レンズの切換えによって簡単にできるカメラ付の携帯電話を提供することができるとともに、フィルタまたはレンズに模様や色彩が施されたものを用いることによって、これらの模様や色彩が画角内に入り、所望の被写体とともに撮影をすることができる。
【００３５】
請求項１６に記載された発明のデジタルカメラは、請求項１２〜請求項１４のいずれか１項に記載されたカメラを備えたことを特徴とする。
【００３６】
請求項１６に記載された発明によれば、望遠や広角や接写等の撮影がリボルバー式レンズの切換えによって簡単にでき、しかも、コンパクトで、ズーム機能が不要となる携帯型のデジタルカメラを提供することができるとともに、フィルタまたはレンズに模様や色彩が施されたものを用いることによって、これらの模様や色彩が画角内に入り、所望の被写体とともに撮影をすることができる。
【発明の効果】
【００３７】
前記リボルバー式レンズの厚み（焦点距離）が異なる複数の非球面レンズを、円盤状の基体に、基体の中心から等距離に配置させ、円盤状の基体に各非球面レンズを包含させて一体に形成したことにより、望遠や広角や接写等の用途に応じたレンズ交換に利用できる。
【００３８】
前記基体の中心に凸部を設けたことにより、この凸部を回転軸とすることができるため、リボルバー式レンズを用いたカメラを製造するときは、他の軸や軸受けが不要となり部品点数を減少させ、コスト低減を図ることができる。
【００３９】
前記基体の外周に、位置決め用のＶ溝を設けたことにより、そのＶ溝に係合部材が係合し、リボルバー式レンズに配置された各レンズのポジションを容易に位置決めできる。
【００４０】
前記複数の非球面レンズは、回転軸に対して直角な水平面上に配置されているため、望遠や広角や接写等の用途に応じたレンズ交換に利用できる。
【００４１】
前記複数の非球面レンズのうち、少なくとも一つは、回転軸に沿って互いに段差を有して配置されているため、望遠や広角や接写等の用途に応じたレンズ交換を簡単迅速に、さらに高精度に行うことができる。
【００４２】
前記すべり止め手段およびその周辺のエリアが不透明なプラスチックで形成されているため、セレーション（またはローレット）およびその周辺から光が漏れて、光がカメラ内に進入するのことを防止することができる。
【００４３】
前記リボルバー式レンズが、アクチュエータによって回転するため、リボルバー式レンズを外光から遮断して設けることができる。これにより、光がカメラ内に進入することを防止することができる。
【００４４】
前記アクチュエータを回転軸に備えたため、カメラのサイズを小さくすることができる。
【００４５】
前記リボルバー式レンズと、このリボルバー式レンズの後面を支持するケースと、前面を支持するカバーと、光を電気信号に変換する撮像素子とを備え、Ｖ溝に係合する係合部材を前記ケースに一体に設けたことにより、望遠や広角や接写等の撮影に対応できるカメラを提供することができる。
【００４６】
前記透明体はフィルタまたはレンズの少なくとも一方からなるため、望遠や広角や接写等の用途に応じたレンズ交換を簡単迅速に、さらに高精度に行うことができるとともに、フィルタまたはレンズに模様や色彩が施されたものを用いることができる。
【００４７】
前記フィルタまたはレンズの少なくとも一方を複数備えているため、望遠や広角や接写等の用途に応じたレンズ交換を簡単迅速に、さらに、高精度に行うことができるとともに、フィルタまたはレンズに模様や色彩が施されたものを用いることができる。
【００４８】
望遠や広角や接写等の撮影がリボルバー式レンズの切換えによって簡単にできるカメラ付の携帯電話を提供することができるとともに、フィルタまたはレンズに模様や色彩が施されたものを用いることによって、これらの模様や色彩が画角内に入り、所望の被写体とともに撮影をすることができる。
【００４９】
望遠や広角や接写等の撮影がリボルバー式レンズの切換えによって簡単にでき、しかも、コンパクトで、ズーム機能が不要となる携帯型のデジタルカメラを提供することができるとともに、フィルタまたはレンズに模様や色彩が施されたものを用いることによって、これらの模様や色彩が画角内に入り、所望の被写体とともに撮影をすることができる。
【発明を実施するための最良の形態】
【００５０】
次に、本発明の実施の形態について図を参照しながら詳細に説明する。
［第１の実施の形態］
図１は、第１の実施の形態であるリボルバー式レンズを示す斜視図である。
図１に示すように、リボルバー式レンズ３は、円盤状の基体３ａの中心から等距離に複数の異なる非球面レンズ３ｂ、３ｃ…３ｇが配置されている。また、基体３ａと複数の異なる非球面レンズ３ｂ、３ｃ…３ｇは一体に成形されている。円盤状の基体３ａの外周には、非球面レンズ３ｂ、３ｃ…３ｇの位置決め用としてＶ溝３ｂ１、３ｃ１、３ｄ１、３ｅ１、３ｆ１、３ｇ１が６等配で設けられている。
また、円盤状の基体３ａの外周には、位置決め用のＶ溝３ｂ１、３ｃ１、３ｄ１、３ｅ１、３ｆ１、３ｇ１の他に、すべり止め用の細かいセレーション（またはローレットでも良い）が設けられている。また、基体３ａの中心には、回転軸となるピン状の凸部３ｈ、３ｉが形成されており、後記するケース１（図３参照）に設けられた凹部１ｃ（図３（ｂ）参照）にピン状の凸部３ｉが嵌入し、後記するカバー２（図３（ｂ）参照）に設けられた凹部２ｃ（図３（ｂ）参照）にピン状の凸部３ｈが嵌入することによって、リボルバー式レンズ３は、ケース１とカバー２に直角に保持され、回動自在になっている。
【００５１】
図２は後記する図３（ａ）に示すレンズの中心線ａを展開した展開断面図である。
図２に示すように、リボルバー式レンズ３（図３（ａ）参照）の非球面レンズは、円盤状の基体３ａ（図３（ａ）参照）の中心から等距離に配置されている。ここでは非球面レンズは、６個が６等配で一体に成形されており、材質は透明プラスチックであり、レンズの直径は例えばφ３ｍｍである。レンズの厚みの薄い順からレンズ３ｂ、３ｃ、３ｄ、３ｅ、３ｆ、３ｇが、並んでいる。
【００５２】
［第２の実施の形態］
図３（ａ）は第２の実施の形態であるカメラ１０を示す平面図で、図３（ｂ）は、図３（ａ）に示すＡ−Ａ線の断面図である。
図３（ｂ）に示すように、カメラ１０は、リボルバー式レンズ３と、リボルバー式レンズ３の後面（図では下面）を支持するケース１と、前面（図では上面）を支持するカバー２と、光を電気信号に変換する撮像素子（ＣＣＤまたはＣＭＯＳ）４とから構成されている。また、カバー２の光を通す透明体５は、レンズを保護するカバーであるが、フィルタであってもよい。また、このフィルタには、模様や色が施してあり、例えば、カメラで写真を撮ったときに、これらの模様や色が画角内に入り、所望の被写体とともに撮影される。
【００５３】
図３（ａ）に示すように、ケース１とカバー２（図３（ｂ）参照）の一端は、三日月状の切り欠き１ｂ、２ｂが設けられ、円盤状の基体３ａのすべり止めの機能を有するセレーションが露出するようになっている。また、右下隅には、例えば、Ｖ溝３ｄ１と係合する係合部材１ａがケース１に一体に設けられており、基体３ａのＶ溝３ｄ１が回動する場合は、一旦、係合部材１ａ（以下、ノッチとも称す）が下方に撓むため、強い付勢力が発生し、Ｖ溝３ｄ１にラフな位置決めがされて、Ｖ溝３ｄ１に先端部である円筒面状の係合部材１ａが飛び込んで係合すると、円筒面状の係合部材１ａは弱い付勢力によって、Ｖ溝３ｄ１の壁面に当接し、リボルバー式レンズ３の位置を決め、その位置を保持する。
【００５４】
［第３の実施の形態］
図４は第３の実施の形態であるリボルバー式レンズを示す斜視図である。
図４に示すように、リボルバー式レンズ２３は、円盤状の基体２３ａの中心軸から等距離に複数の異なる非球面レンズ２３ｂ、２３ｃ、２３ｄ、２３ｅ、２３ｆ、２３ｇの少なくとも一つが段差を持って配置されており、本実施の形態では、非球面レンズ２３ｂ、２３ｄ、２３ｆが同一水平面上に配置され、非球面レンズ２３ｃ、２３ｅ、２３ｇが、非球面レンズ２３ｂ、２３ｄ、２３ｆとは段差を有して配置されている。また、基体２３ａと複数の異なる非球面レンズ２３ｂ、２３ｃ…２３ｇは一体に成形されている。円盤状の基体２３ａの外周には、非球面レンズ２３ｂ、２３ｃ、２３ｄ、２３ｅ、２３ｆ、２３ｇの位置決め用としてＶ溝２３ｂ１、２３ｃ１、２３ｄ１、２３ｅ１、２３ｆ１、２３ｇ１が６等配で設けられている。
また、円盤状の基体２３ａの外周には、位置決め用のＶ溝２３ｂ１、２３ｃ１、２３ｄ１、２３ｅ１、２３ｆ１、２３ｇ１の他に、すべり止め用の細かいセレーション（またはローレットでも良い）が設けられている。また、基体２３ａの中心には、回転軸となるピン状の凸部２３ｈ、２３ｉが形成されており、後記するケース１１（図６参照）に設けられた凹部２１ｃ（図６（ｂ）参照）にピン状の凸部２３ｉが嵌入し、カバー１２（図６（ｂ）参照）に設けられた凹部２２ｃ（図６（ｂ）参照）にピン状の凸部２３ｈが嵌入することによって、リボルバー式レンズ２３は、ケース１１とカバー１２に直角に保持され、回動自在になっている。
【００５５】
図５は後記する図６（ａ）に示すレンズの中心線ｂを展開した展開断面図である。
図５に示すように、リボルバー式レンズ２３（図６（ａ）参照）の非球面レンズは、円盤状の基体２３ａ（図６（ｂ）参照）の中心軸から等距離に配置されている。この中心軸はリボルバー式レンズ２３の回転軸の中心である。ここでは非球面レンズは、６個が６等配で一体に成形されており、材質は透明プラスチックであり、レンズの直径は例えばφ３ｍｍである。レンズの厚みの薄い順からレンズ２３ｂ、２３ｃ、２３ｄ、２３ｅ、２３ｆ、２３ｇが、互いに段差を有して並んでいる。
なお、非球面レンズの材質は、透明プラスチックとしたが、透明ガラスでも構わないし、透明であれば、その他の材料を用いても構わない。また、これらの段差は、本実施の形態に限るものではなく、適宜、各種バリエーションで配置することができる。
【００５６】
［第４の実施の形態］
図６（ａ）は第４の実施の形態であるカメラ１００を示す平面図で、図６（ｂ）は図６（ａ）に示すＢ−Ｂ線の断面図である。
図６（ｂ）に示すように、カメラ１００は、リボルバー式レンズ２３と、リボルバー式レンズ２３の後面（図では下面）を支持するケース１１と、前面（図では上面）を支持するカバー１２と、光を電気信号に変換する撮像素子（ＣＣＤまたはＣＭＯＳ）１４とから構成されている。また、カバー１２の光を通す透明体１５は、リボルバー式レンズ２３を保護するカバーであるが、本実施の形態では複数のレンズ１５ａ、１５ｂが配設されている。カメラ１００は、撮像素子１４が受光する光の光軸上のリボルバー式レンズ２３より被写体側にレンズ１５を備えている。このレンズ１５は、複数のレンズ１５ａ、１５ｂからなり、ホルダ１６に納められており、取り外し自在になっている。これにより、別途構成された複数のレンズやフィルタを納めた他のホルダ（図略）と交換することによって、望遠や広角や接写等の用途に応じたレンズ交換を簡単迅速に、さらに、高精度に行うことができる。また、これらのフィルタやレンズに模様や色彩が施されたものを用いることによって、これらの模様や色彩が画角内に入り、所望の被写体とともに撮影をすることができる。
【００５７】
図６（ａ）に示すように、ケース１１とカバー１２の一端には、三日月状の切り欠き１１ｂ、１２ｂが設けられ、円盤状の基体２３ａのすべり止めの機能を有するセレーションが露出するようになっている。また、右下隅には、例えば、Ｖ溝２３ｄ１と係合する係合部材１１ａがケース１１に一体に設けられており、基体２３ａのＶ溝２３ｄ１が回動する場合は、一旦係合部材１１ａが下方に撓むため、強い付勢力が発生し、Ｖ溝２３ｄ１にラフな位置決めがされて、先端部である円筒面状の係合部材１１ａがＶ溝２３ｄ１に飛び込んで係合すると、円筒面状の係合部材１１ａは弱い付勢力によって、Ｖ溝２３ｄ１の壁面に当接し、リボルバー式レンズ２３の位置を決め、その位置を保持する。
【００５８】
［第５の実施の形態］
図７は円盤状の基体３ａを回転させる指のすべり止め用の細かいセレーションリングを説明する図であり、図７（ａ）は斜視図、図７（ｂ）はカメラに組み込まれた様子を示す断面図である。図７に示すように、セレーションリング３３が、リボルバー式レンズ３の外周に固定されている。セレーションリング３３は、不透明な材料で形成されており、本実施の形態では不透明なプラスチックで形成されている。この不透明なプラスチックで形成されたセレーションリング３３は、リボルバー式レンズ３が複数の非球面レンズ３ａ、３ｂ、３ｃ、３ｄ、３ｅ、３ｆ、３ｇで一体に形成されているため、セレーションおよびその周辺から光が漏れて、光がカメラ内に進入するのを防いでいる。また、セレーションリング３３は、不透明なプラスチックで形成されているが、リボルバー式レンズ３の外周を塗装して光の進入を防止しても良い。また、セレーションおよびその周辺のエリア（レンズ以外のエリア）を不透明なプラスチックで形成するように２色成形を用いて一体に成形しても良い。
【００５９】
［第６の実施の形態］
図８（ａ）は第６の実施の形態であるカメラ２００を示す平面図で、図８（ｂ）は図８（ａ）に示すＣ−Ｃ線の断面図である。
図８（ｂ）に示すように、カメラ２００には、リボルバー式レンズ３を回転させるためのアクチュエータ７をリボルバー式レンズ３の外周の端面に備えている。このアクチュエータ７を構成するモータ７ａには平歯車６が装着され、この平歯車６がリボルバー式レンズ３の外周に設けられた平歯車３ｒと噛み合い、リボルバー式レンズ３が回転する。また、リボルバー式レンズ３の裏面には、バーコード状の位置マーク３ｋが刻まれている。この刻みの底は、黒色に塗装されている。さらに、リボルバー式レンズ３の下面には、光センサ８に接続されたファイバー管８ｂが設けられている。この光センサ８が、ファイバー管８ｂを介して位置マーク３ｋを検出することによって、リボルバー式レンズ３の停止位置が、図示しない制御装置によって制御される。
なお、位置マーク３ｋは、バーコード状に筋を入れて黒色に塗られていても良いし、同様の模様を有したシールを貼っても良い。また、位置マーク３ｋは、バーコード状ではなく、リボルバー式レンズ３の停止位置を示すことができれば、ドット状のマークでも良いし、特に限定するものではない。また、位置マーク３ｋの色は、黒色に限らず他の色であっても構わない。
これにより、リボルバー式レンズ３は、アクチュエータ７によって所定の位置まで回転して、カメラ２００のレンズ切換えが制御される。このように、リボルバー式レンズ３は、モータ駆動されるため、外光から遮蔽してカメラ２００内に設けることができる。そのため、外光がカメラ２００内にはいることを防止することができる。
【００６０】
［第７の実施の形態］
図９（ａ）は第７の実施の形態であるカメラ３００を示す平面図で、図９（ｂ）は図９（ａ）に示すＤ−Ｄ線の断面図である。
図９（ｂ）に示すように、リボルバー式レンズ３の回転中心の位置に、ダイレクトドライブモータ９ａ（以下、ＤＤモータと称す）が設けられ、ステー１１により支持されて固定されている。このＤＤモータ９ａの外周部９ｃが、リボルバー式レンズ３の回転中心に設けられた凹部３ｎに嵌着して固定されている。このとき、リボルバー式レンズ３の凹部３ｎとＤＤモータ９ａの外周部９ｃとは、位置ずれしない強度で嵌着している。また、光センサ８、および、位置マーク３ｋについては、第６の実施の形態と同様であるため、説明を省略する。これにより、カメラ３００は、図示しないレンズ切換えスイッチによって、所定のズーム位置を容易に得るとともに、アクチュエータ９を回転軸に備えることによって、カメラのサイズを小さくすることができる。
【００６１】
［第８の実施の形態］
図１０（ａ）は第８の実施の形態であるカメラ４００を示す平面図で、図１０（ｂ）は図１０（ａ）に示すＥ−Ｅ線の断面図である。
図１０（ｂ）に示すように、リボルバー式レンズ３の回転中心の位置に、傘歯車１７を備えている。モータ１９が、モータ１９に備えられたフランジ１９ｃによってケース１に固定されている。このモータ１９の回転軸に傘歯車１８がもうけられている。これらの傘歯車１７,１８が噛み合い、リボルバー式レンズ３がモータ駆動される。また、光センサ８、および、位置マーク３ｋについては、第６の実施の形態と同様であるため、説明を省略する。これにより、カメラ４００は、図示しないレンズ切換えスイッチによって所定のレンズ位置を容易に得ることができる。
【００６２】
［第９の実施の形態］
図１１は、カメラ１０、およびカメラ１００を用いた携帯電話を操作する様子を示す正面図である。カメラ１０とカメラ１００とは、外形および操作方法がほぼ同一であり、ここではカメラ１０を用いて説明する。図１１に示すように、携帯電話２０の上部にリボルバー式レンズ３を用いたカメラ１０を内蔵し、リボルバー式レンズ３の外周のセレーションに片方の人差し指を当て、人差し指による操作によって希望の仕様に合わせてリボルバー式レンズ３を回動して選択することにより、望遠や広角や接写等の撮影が簡単にできる。
なお、レンズ３ｄを通った光は撮像素子（ＣＣＤやＣＭＯＳ）４（図３参照）で受光された後、Ａ／Ｄ変換回路によってデジタル信号に変換され、記憶素子（メモリー）に記録される。また、データは再生され、またはデータをテレビ送信して映し出したり、カラープリンタで出力したり、パソコンに取り込んで画像処理する、あるいは電話回線を使用して送信するなどの技術は公知の技術であるので、詳細な説明は省略する。リボルバー式レンズ３の近傍には、フラッシュ５０が装着されている。また、カメラ２００、カメラ３００、カメラ４００を用いた場合は、図示しないレンズ切換えスイッチを押すことによって、希望の仕様に合わせてリボルバー式レンズ３を回動して選択することにより、望遠や広角や接写等の撮影がワンタッチでできる。
【００６３】
［第１０の実施の形態］
図１２はカメラ１０を用いたデジタルカメラを操作する様子を示す正面図である。第６の実施の形態と同様にカメラ１０を用いて説明する。図１２に示すように、デジタルカメラ３０の外側にリボルバー式レンズ３を用いたカメラ１０を内蔵し、リボルバー式レンズ３のセレーションに片方の人差し指を当て、希望の仕様に合わせてリボルバー式レンズ３を選択することにより、望遠、広角、集合写真、グループ写真、ポートレートおよび接写等の撮影が簡単にできる。リボルバー式レンズ３の近傍には、フラッシュ６０が装着されている。また、カメラ２００、カメラ３００、カメラ４００を用いた場合は、図示しないレンズ切換えスイッチを押すことによって、希望の仕様に合わせてリボルバー式レンズ３を回動して選択することにより、望遠、広角、集合写真、グループ写真、ポートレートおよび接写等の撮影が簡単にできる。
【００６４】
ここで、図３、図１１を参照して動作について説明する。
図１１に示すように、携帯電話２０の本体を開き、カメラ１０を被写体に向け、望遠か広角か接写か等の６種類の仕様の中から選択しながら、片手の人差し指をリボルバー式レンズ３の外周に当ててリボルバー式レンズ３の基体３ａ（図３参照）を回動する。すると、図３（ａ）に示すように、ノッチ（係合部材）１ａがＶ溝を入っては乗り上げて通過しながら、所定位置のＶ溝３ｄ１に係合して位置を決める。例えば、集合写真の撮影であれば、非球面レンズ３ｄを選択すればよい。そして、画面を見ながら構図を決めて写真撮影用釦（図示せず）を押すことで、撮影が終了する。
【００６５】
また、カメラ１０のカバー２（図３参照）に設けられた透明体５のフィルタまたはレンズに模様や色彩が施されたものを用いることによって、これらの模様や色彩が画角内に入り、所望の被写体とともに撮影できる。さらに、各種図柄を持った映像なども撮ることができる。
【００６６】
なお、本発明はその技術思想の範囲内で種々の改造、変更が可能であり、本発明はこの改造、変更された発明にもおよぶことは当然である。例えば、リボルバー式レンズ３およびリボルバー式レンズ２３は、それぞれ６個の非球面レンズ３ｂ、３ｃ…３ｇ、２３ｂ、２３ｃ…２３ｇとしたが、複数個である２個、３個、４個…としても構わない。また、複数個の非球面レンズは凸レンズとしたが、凹レンズであってもよい。また、リボルバー式レンズ３、２３の基体３ａ、２３ａの中央に凸部３ｈ、３ｉ、２３ｈ、２３ｉを設けたが、穴をあけて別部品を組付けてもよいし、凹状のくぼみを設けても構わない。
また、第１〜５実施の形態ではリボルバー式レンズ３、２３の外周径は、例えばφ１６ｍｍとしたが、今後の商品の小型化（軽薄短小）のニーズに対応するために、例えば、φ４ｍｍまで縮小しても構わないし、拡大しても構わない。
さらに、ノート型パソコンに搭載したカメラとしてもよいし、ＰＤＡ（Personal digital assistant:携帯用コンピュータ）を駆使したカメラに採用してもよい。また、非球面レンズの材質は、透明プラスチックとしたが、透明ガラスでも構わないし、透明であれば、その他の材料を用いても構わない。
また、すべり止めに、セレーションまたはローレットを形成したが、指の滑りを防止することができるものであれば、セレーションまたはローレットに限るものではない。
【図面の簡単な説明】
【００６７】
【図１】本発明のリボルバー式レンズを示す斜視図である。
【図２】図３（ａ）に示すレンズの中心線ａを展開した展開断面図である。
【図３】（ａ）はカメラを示す平面図で、（ｂ）は（ａ）に示すＡ−Ａ線の断面図である。
【図４】本発明のリボルバー式レンズを示す斜視図である。
【図５】図６（ａ）に示すレンズの中心線ｂを展開した展開断面図である。
【図６】（ａ）はカメラを示す平面図で、（ｂ）は（ａ）に示すＢ−Ｂ線の断面図である。
【図７】本発明のセレーションリングを説明する図であり、（ａ）は斜視図、（ｂ）はカメラに組み込まれた様子を示す断面図である。
【図８】（ａ）はカメラを示す平面図で、（ｂ）は（ａ）に示すＣ−Ｃ線の断面図である。
【図９】（ａ）はカメラを示す平面図で、（ｂ）は（ａ）に示すＤ−Ｄ線の断面図である。
【図１０】（ａ）はカメラを示す平面図で、（ｂ）は（ａ）に示すＥ−Ｅ線の断面図である。
【図１１】本発明のカメラを用いた携帯電話を操作する様子を示す正面図である。
【図１２】本発明のカメラを用いたデジタルカメラを操作する様子を示す正面図である。
【図１３】従来のカメラ付携帯電話を示し、（ａ）は正面図、（ｂ）は右側面図である。
【符号の説明】
【００６８】
１、１１、１１１    ケース
１ａ、１１ａ        ノッチ（係合部材）
１ｂ、２ｂ、１１ｂ、１２ｂ    切り欠き
１ｃ、２ｃ、３ｎ    凹部
２、１２、１１２    カバー
３、２３            リボルバー式レンズ
３ａ、２３ａ        基体
３ｂ、３ｃ、３ｄ、３ｅ、３ｆ、３ｇ    非球面レンズ
２３ｂ、２３ｃ、２３ｄ、２３ｅ、２３ｆ、２３ｇ    非球面レンズ
３ｈ、３ｉ、２３ｈ、２３ｉ    凸部
３ｋ                位置マーク
３ｂ１、３ｃ１、３ｄ１、３ｅ１、３ｆ１、３ｇ１    Ｖ溝
２３ｂ１、２３ｃ１、２３ｄ１、２３ｅ１、２３ｆ１、２３ｇ１    Ｖ溝
３３ｂ１、３３ｃ１、３３ｄ１、３３ｅ１、３３ｆ１、３３ｇ１    Ｖ溝
４、１４        撮像素子（ＣＣＤまたはＣＭＯＳ）
５、１５        透明体（カバー、フィルタ、レンズ）
３ｒ、６        平歯車
７、９、１９    アクチュエータ
７ａ、９ａ、１９ａ    モータ本体
７ｂ    雄ねじ（モータの外周に設けられたねじ）
７ｃ    モータシャフト
８      光センサ
８ａ    センサ本体
８ｂ    ファイバー管
９ｃ    外周部
１１    ステー
１５ａ、１５ｂ    レンズ
１６    ホルダ
１７、１８    傘歯車
１０、１００、２００、３００、４００    カメラ
２０          携帯電話
３０          デジタルカメラ
３３          セレーションリング（またはローレットリング）
５０、６０    フラッシュ
【図１】
2005004170.tif 000003
【図２】
2005004170.tif 000004
【図３】
2005004170.tif 000005
【図４】
2005004170.tif 000006
【図５】
2005004170.tif 000007
【図６】
2005004170.tif 000008
【図７】
2005004170.tif 000009
【図８】
2005004170.tif 000010
【図９】
2005004170.tif 000011
【図１０】
2005004170.tif 000012
【図１１】
2005004170.tif 000013
【図１２】
2005004170.tif 000014
【図１３】
2005004170.tif 000015
【手続補正書】
【提出日】平成16年4月19日(2004.4.19)
【手続補正１】
【補正対象書類名】特許請求の範囲
【補正対象項目名】全文
【補正方法】変更
【補正の内容】
【特許請求の範囲】
【請求項１】
円盤状の基体（２３ａ）と、
前記基体（２３ａ）の中心には回転軸となる凸部（２３ｈ）と、
前記回転軸から等距離に配置された複数の厚みの異なる非球面レンズ（２３ｂ,…２３ｇ）と
を有し、前記基体（２３ａ）および前記非球面レンズ（２３ｂ,…２３ｇ）が一体に形成されるリボルバー式レンズ（２３）と、
前記リボルバー式レンズ（２３）より被写体側にあって交換可能なレンズ（１５）と
を備えたカメラ（１００）において、
前記リボルバー式レンズ（２３）には、前記非球面レンズ（２３ｂ,…２３ｇ）が、前記回転軸に沿って互いに段差を有して配置されることを特徴とするカメラ（１００）。
【請求項２】
前記リボルバー式レンズ（２３）を回転させるためのアクチュエータ（９）を前記リボルバー式レンズ（２３）の前記回転軸に備えていることを特徴とする請求項１に記載のリボルバー式レンズ（２３）。
【請求項３】
前記アクチュエータ（９）は、モータ（９ａ）によって駆動されることを特徴とする請求項２に記載のリボルバー式レンズ（２３）。
【請求項４】
前記モータ（９ａ）は、ＤＤモータ（ダイレクトドライブモータ）（９ａ）であることを特徴とする請求項３に記載のリボルバー式レンズ（２３）。
【請求項５】
請求項１に記載されたカメラ（１００）を備えることを特徴とする携帯電話（２０）。
【請求項６】
請求項１に記載されたカメラ（１００）を備えることを特徴とするデジタルカメラ（３０）。
【手続補正２】
【補正対象書類名】明細書
【補正対象項目名】全文
【補正方法】変更
【補正の内容】
【発明の詳細な説明】
【技術分野】
【０００１】
本発明は、携帯電話やカメラ等に使用されるリボルバー式レンズおよびそれを用いたカメラ付携帯電話並びにデジタルカメラに関する。
【背景技術】
【０００２】
最近、小さな非球面レンズが開発され、携帯電話のカメラに内蔵され、カメラ付携帯電話として普及しはじめている（例えば、特許文献１参照）。図１３は、従来のカメラ付携帯電話２４０を示し、図１３（ａ）は正面図、図１３（ｂ）は右側面図である。図１３に示すように、このカメラ付携帯電話２４０の上部には、カメラ２１６が内蔵されており、カメラ２１６を覆うカバー２１２を下方にスライドするとカメラ２１６が現われるようになっている。このカメラ２１６のレンズは、１個であり、倍率を変えるにはズーム等の光学式倍率を２〜３倍にして接写仕様に対応している。
【特許文献１】特開２００２−３００２５７号公報（図１）
【発明の開示】
【発明が解決しようとする課題】
【０００３】
しかしながら、光学式による倍率の調節では、望遠と広角と接写といった幅広い仕様のニーズには対応できないという問題があった。
【０００４】
そこで、本発明は、レンズの交換によって望遠と広角と接写等が容易に対応できるリボルバー式のレンズと、それを用いた携帯電話およびデジタルカメラを提供することを課題とする。
【課題を解決するための手段】
【０００５】
前記した課題を解決するために、請求項１に記載された発明に係るカメラは、円盤状の基体（２３ａ）と、前記基体（２３ａ）の中心には回転軸となる凸部（２３ｈ）と、前記回転軸から等距離に配置された複数の厚みの異なる非球面レンズ（２３ｂ,…２３ｇ）とを有し、前記基体（２３ａ）および前記非球面レンズ（２３ｂ,…２３ｇ）が一体に形成されるリボルバー式レンズ（２３）と、前記リボルバー式レンズ（２３）より被写体側にあって交換可能なレンズ（１５）とを備えたカメラ（１００）において、前記リボルバー式レンズ（２３）には、前記非球面レンズ（２３ｂ,…２３ｇ）が、前記回転軸に沿って互いに段差を有して配置されることを特徴とする。
【０００６】
請求項１に記載された発明によれば、円盤状の基体（２３ａ）と、前記基体（２３ａ）の中心には回転軸となる凸部（２３ｈ）と、前記回転軸から等距離に配置された複数の厚みの異なる非球面レンズ（２３ｂ,…２３ｇ）とを有し、前記基体（２３ａ）および前記非球面レンズ（２３ｂ,…２３ｇ）が一体に形成されるリボルバー式レンズ（２３）と、前記リボルバー式レンズ（２３）より被写体側にあって交換可能なレンズ（１５）とを備えたカメラ（１００）において、前記リボルバー式レンズ（２３）には、前記非球面レンズ（２３ｂ,…２３ｇ）が、前記回転軸に沿って互いに段差を有して配置されているため、望遠や広角や接写等の用途に応じたレンズ交換を簡単迅速に、高精度に行うことができる。さらに、このリボルバー式レンズの被写体側には、交換可能な複数のレンズが設けられているため、望遠や広角や接写等の撮影が簡単にでき、しかも、コンパクトで、ズーム機能が不要となる携帯型のカメラを提供することができるという目覚しい効果を奏している。
【０００７】
請求項２に記載された発明に係るカメラは、請求項１に記載されたリボルバー式レンズ（２３）において、前記リボルバー式レンズ（２３）を回転させるためのアクチュエータ（９）を前記リボルバー式レンズ（２３）の前記回転軸に備えていることを特徴とする。
【０００８】
請求項２に記載された発明によれば、アクチュエータを回転軸に備えたため、カメラのサイズを小さくすることができる。また、リボルバー式レンズの回転軸をダイレクト駆動させることができるため、アクチュエータが回転軸と一体に設けられ、カメラサイズをさらにコンパクトにすることができる。
【０００９】
請求項３に記載された発明は、請求項２に記載の発明において、前記アクチュエータは、モータによって駆動されることを特徴とする。
【００１０】
請求項３に記載された発明によれば、リボルバー式レンズが、モータによって回転するため、リボルバー式レンズを外光から遮断して設けることができる。これにより、外光がカメラ内にはいることを防止することができる。
【００１１】
請求項４に記載された発明は、請求項３に記載の発明において、前記モータは、ＤＤモータ（ダイレクトドライブモータ）であることを特徴とする。
【００１２】
請求項４に記載された発明によれば、モータを回転軸に備えたため、カメラのサイズを小さくすることができる。
【００１３】
請求項５に記載された携帯電話は、請求項１に記載されたカメラを備えることを特徴とする。
【００１４】
請求項５に記載された発明によれば、望遠や広角や接写等の撮影がリボルバー式レンズの切換えによって簡単にできるカメラ付の携帯電話を提供することができる。
【００１５】
請求項６に記載されたデジタルカメラは、請求項１に記載されたカメラを備えることを特徴とする。
【００１６】
請求項６に記載された発明によれば、望遠や広角や接写等の撮影がリボルバー式レンズの切換えによって簡単にでき、しかも、コンパクトで、ズーム機能が不要となる携帯型のデジタルカメラを提供することができる。
【発明の効果】
【００１７】
請求項１に記載された発明によれば、このリボルバー式レンズ（２３）の被写体側には、交換可能な複数のレンズ１５が設けられ、さらに、前記リボルバー式レンズ（２３）には、前記非球面レンズ（２３ｂ,…２３ｇ）が、前記回転軸に沿って厚みの薄い順から互いに段差を有して配置されているため、望遠や広角や接写等の用途に応じたレンズ交換を簡単迅速に、さらに、高精度に行うことができる。
【００１８】
請求項２に記載された発明によれば、アクチュエータを回転軸に備えたため、カメラのサイズを小さくすることができる。また、リボルバー式レンズの回転軸をダイレクト駆動させることができるため、アクチュエータが回転軸と一体に設けられ、カメラサイズをさらにコンパクトにすることができる。
【００１９】
請求項３に記載された発明によれば、リボルバー式レンズが、モータによって回転するため、リボルバー式レンズを外光から遮断して設けることができる。これにより、外光がカメラ内にはいることを防止することができる。
【００２０】
請求項４に記載された発明によれば、モータを回転軸に備えたため、カメラのサイズを小さくすることができる。
【００２１】
請求項５に記載された発明によれば、望遠や広角や接写等の撮影がリボルバー式レンズの切換えによって簡単にできるカメラ付の携帯電話を提供することができる。
【００２２】
請求項６に記載された発明によれば、望遠や広角や接写等の撮影がリボルバー式レンズの切換えによって簡単にでき、しかも、コンパクトで、ズーム機能が不要となる携帯型のデジタルカメラを提供することができる。
【発明を実施するための最良の形態】
【００２３】
次に、本発明の実施の形態について図を参照しながら詳細に説明する。
［第１の実施の形態］
図１は、第１の実施の形態であるリボルバー式レンズを示す斜視図である。
図１に示すように、リボルバー式レンズ３は、円盤状の基体３ａの中心から等距離に複数の異なる非球面レンズ３ｂ、３ｃ…３ｇが配置されている。また、基体３ａと複数の異なる非球面レンズ３ｂ、３ｃ…３ｇは一体に成形されている。円盤状の基体３ａの外周には、非球面レンズ３ｂ、３ｃ…３ｇの位置決め用としてＶ溝３ｂ１、３ｃ１、３ｄ１、３ｅ１、３ｆ１、３ｇ１が６等配で設けられている。
また、円盤状の基体３ａの外周には、位置決め用のＶ溝３ｂ１、３ｃ１、３ｄ１、３ｅ１、３ｆ１、３ｇ１の他に、すべり止め用の細かいセレーション（またはローレットでも良い）が設けられている。また、基体３ａの中心には、回転軸となるピン状の凸部３ｈ、３ｉが形成されており、後記するケース１（図３参照）に設けられた凹部１ｃ（図３（ｂ）参照）にピン状の凸部３ｉが嵌入し、後記するカバー２（図３（ｂ）参照）に設けられた凹部２ｃ（図３（ｂ）参照）にピン状の凸部３ｈが嵌入することによって、リボルバー式レンズ３は、ケース１とカバー２に直角に保持され、回動自在になっている。
【００２４】
図２は後記する図３（ａ）に示すレンズの中心線ａを展開した展開断面図である。
図２に示すように、リボルバー式レンズ３（図３（ａ）参照）の非球面レンズは、円盤状の基体３ａ（図３（ａ）参照）の中心から等距離に配置されている。ここでは非球面レンズは、６個が６等配で一体に成形されており、材質は透明プラスチックであり、レンズの直径は例えばφ３ｍｍである。レンズの厚みの薄い順からレンズ３ｂ、３ｃ、３ｄ、３ｅ、３ｆ、３ｇが、並んでいる。
【００２５】
［第２の実施の形態］
図３（ａ）は第２の実施の形態であるカメラ１０を示す平面図で、図３（ｂ）は、図３（ａ）に示すＡ−Ａ線の断面図である。
図３（ｂ）に示すように、カメラ１０は、リボルバー式レンズ３と、リボルバー式レンズ３の後面（図では下面）を支持するケース１と、前面（図では上面）を支持するカバー２と、光を電気信号に変換する撮像素子（ＣＣＤまたはＣＭＯＳ）４とから構成されている。また、カバー２の光を通す透明体５は、レンズを保護するカバーであるが、フィルタであってもよい。また、このフィルタには、模様や色が施してあり、例えば、カメラで写真を撮ったときに、これらの模様や色が画角内に入り、所望の被写体とともに撮影される。
【００２６】
図３（ａ）に示すように、ケース１とカバー２（図３（ｂ）参照）の一端は、三日月状の切り欠き１ｂ、２ｂが設けられ、円盤状の基体３ａのすべり止めの機能を有するセレーションが露出するようになっている。また、右下隅には、例えば、Ｖ溝３ｄ１と係合する係合部材１ａがケース１に一体に設けられており、基体３ａのＶ溝３ｄ１が回動する場合は、一旦、係合部材１ａ（以下、ノッチとも称す）が下方に撓むため、強い付勢力が発生し、Ｖ溝３ｄ１にラフな位置決めがされて、Ｖ溝３ｄ１に先端部である円筒面状の係合部材１ａが飛び込んで係合すると、円筒面状の係合部材１ａは弱い付勢力によって、Ｖ溝３ｄ１の壁面に当接し、リボルバー式レンズ３の位置を決め、その位置を保持する。
【００２７】
［第３の実施の形態］
図４は第３の実施の形態であるリボルバー式レンズを示す斜視図である。
図４に示すように、リボルバー式レンズ２３は、円盤状の基体２３ａの中心軸から等距離に複数の異なる非球面レンズ２３ｂ、２３ｃ、２３ｄ、２３ｅ、２３ｆ、２３ｇの少なくとも一つが段差を持って配置されており、本実施の形態では、非球面レンズ２３ｂ、２３ｄ、２３ｆが同一水平面上に配置され、非球面レンズ２３ｃ、２３ｅ、２３ｇが、非球面レンズ２３ｂ、２３ｄ、２３ｆとは段差を有して配置されている。また、基体２３ａと複数の異なる非球面レンズ２３ｂ、２３ｃ…２３ｇは一体に成形されている。円盤状の基体２３ａの外周には、非球面レンズ２３ｂ、２３ｃ、２３ｄ、２３ｅ、２３ｆ、２３ｇの位置決め用としてＶ溝２３ｂ１、２３ｃ１、２３ｄ１、２３ｅ１、２３ｆ１、２３ｇ１が６等配で設けられている。
また、円盤状の基体２３ａの外周には、位置決め用のＶ溝２３ｂ１、２３ｃ１、２３ｄ１、２３ｅ１、２３ｆ１、２３ｇ１の他に、すべり止め用の細かいセレーション（またはローレットでも良い）が設けられている。また、基体２３ａの中心には、回転軸となるピン状の凸部２３ｈ、２３ｉが形成されており、後記するケース１１（図６参照）に設けられた凹部２１ｃ（図６（ｂ）参照）にピン状の凸部２３ｉが嵌入し、カバー１２（図６（ｂ）参照）に設けられた凹部２２ｃ（図６（ｂ）参照）にピン状の凸部２３ｈが嵌入することによって、リボルバー式レンズ２３は、ケース１１とカバー１２に直角に保持され、回動自在になっている。
【００２８】
図５は後記する図６（ａ）に示すレンズの中心線ｂを展開した展開断面図である。
図５に示すように、リボルバー式レンズ２３（図６（ａ）参照）の非球面レンズは、円盤状の基体２３ａ（図６（ｂ）参照）の中心軸から等距離に配置されている。この中心軸はリボルバー式レンズ２３の回転軸の中心である。ここでは非球面レンズは、６個が６等配で一体に成形されており、材質は透明プラスチックであり、レンズの直径は例えばφ３ｍｍである。レンズの厚みの薄い順からレンズ２３ｂ、２３ｃ、２３ｄ、２３ｅ、２３ｆ、２３ｇが、互いに段差を有して並んでいる。
なお、非球面レンズの材質は、透明プラスチックとしたが、透明ガラスでも構わないし、透明であれば、その他の材料を用いても構わない。また、これらの段差は、本実施の形態に限るものではなく、適宜、各種バリエーションで配置することができる。
【００２９】
［第４の実施の形態］
図６（ａ）は第４の実施の形態であるカメラ１００を示す平面図で、図６（ｂ）は図６（ａ）に示すＢ−Ｂ線の断面図である。
図６（ｂ）に示すように、カメラ１００は、リボルバー式レンズ２３と、リボルバー式レンズ２３の後面（図では下面）を支持するケース１１と、前面（図では上面）を支持するカバー１２と、光を電気信号に変換する撮像素子（ＣＣＤまたはＣＭＯＳ）１４とから構成されている。また、カバー１２の光を通す透明体１５は、リボルバー式レンズ２３を保護するカバーであるが、本実施の形態では複数のレンズ１５ａ、１５ｂが配設されている。カメラ１００は、撮像素子１４が受光する光の光軸上のリボルバー式レンズ２３より被写体側にレンズ１５を備えている。このレンズ１５は、複数のレンズ１５ａ、１５ｂからなり、ホルダ１６に納められており、取り外し自在になっている。これにより、別途構成された複数のレンズやフィルタを納めた他のホルダ（図略）と交換することによって、望遠や広角や接写等の用途に応じたレンズ交換を簡単迅速に、さらに、高精度に行うことができる。また、これらのフィルタやレンズに模様や色彩が施されたものを用いることによって、これらの模様や色彩が画角内に入り、所望の被写体とともに撮影をすることができる。
【００３０】
図６（ａ）に示すように、ケース１１とカバー１２の一端には、三日月状の切り欠き１１ｂ、１２ｂが設けられ、円盤状の基体２３ａのすべり止めの機能を有するセレーションが露出するようになっている。また、右下隅には、例えば、Ｖ溝２３ｄ１と係合する係合部材１１ａがケース１１に一体に設けられており、基体２３ａのＶ溝２３ｄ１が回動する場合は、一旦係合部材１１ａが下方に撓むため、強い付勢力が発生し、Ｖ溝２３ｄ１にラフな位置決めがされて、先端部である円筒面状の係合部材１１ａがＶ溝２３ｄ１に飛び込んで係合すると、円筒面状の係合部材１１ａは弱い付勢力によって、Ｖ溝２３ｄ１の壁面に当接し、リボルバー式レンズ２３の位置を決め、その位置を保持する。
【００３１】
［第５の実施の形態］
図７は円盤状の基体３ａを回転させる指のすべり止め用の細かいセレーションリングを説明する図であり、図７（ａ）は斜視図、図７（ｂ）はカメラに組み込まれた様子を示す断面図である。図７に示すように、セレーションリング３３が、リボルバー式レンズ３の外周に固定されている。セレーションリング３３は、不透明な材料で形成されており、本実施の形態では不透明なプラスチックで形成されている。この不透明なプラスチックで形成されたセレーションリング３３は、リボルバー式レンズ３が複数の非球面レンズ３ａ、３ｂ、３ｃ、３ｄ、３ｅ、３ｆ、３ｇで一体に形成されているため、セレーションおよびその周辺から光が漏れて、光がカメラ内に進入するのを防いでいる。また、セレーションリング３３は、不透明なプラスチックで形成されているが、リボルバー式レンズ３の外周を塗装して光の進入を防止しても良い。また、セレーションおよびその周辺のエリア（レンズ以外のエリア）を不透明なプラスチックで形成するように２色成形を用いて一体に成形しても良い。
【００３２】
［第６の実施の形態］
図８（ａ）は第６の実施の形態であるカメラ２００を示す平面図で、図８（ｂ）は図８（ａ）に示すＣ−Ｃ線の断面図である。
図８（ｂ）に示すように、カメラ２００には、リボルバー式レンズ３を回転させるためのアクチュエータ７をリボルバー式レンズ３の外周の端面に備えている。このアクチュエータ７を構成するモータ７ａには平歯車６が装着され、この平歯車６がリボルバー式レンズ３の外周に設けられた平歯車３ｒと噛み合い、リボルバー式レンズ３が回転する。また、リボルバー式レンズ３の裏面には、バーコード状の位置マーク３ｋが刻まれている。この刻みの底は、黒色に塗装されている。さらに、リボルバー式レンズ３の下面には、光センサ８に接続されたファイバー管８ｂが設けられている。この光センサ８が、ファイバー管８ｂを介して位置マーク３ｋを検出することによって、リボルバー式レンズ３の停止位置が、図示しない制御装置によって制御される。
なお、位置マーク３ｋは、バーコード状に筋を入れて黒色に塗られていても良いし、同様の模様を有したシールを貼っても良い。また、位置マーク３ｋは、バーコード状ではなく、リボルバー式レンズ３の停止位置を示すことができれば、ドット状のマークでも良いし、特に限定するものではない。また、位置マーク３ｋの色は、黒色に限らず他の色であっても構わない。
これにより、リボルバー式レンズ３は、アクチュエータ７によって所定の位置まで回転して、カメラ２００のレンズ切換えが制御される。このように、リボルバー式レンズ３は、モータ駆動されるため、外光から遮蔽してカメラ２００内に設けることができる。そのため、外光がカメラ２００内にはいることを防止することができる。
【００３３】
［第７の実施の形態］
図９（ａ）は第７の実施の形態であるカメラ３００を示す平面図で、図９（ｂ）は図９（ａ）に示すＤ−Ｄ線の断面図である。
図９（ｂ）に示すように、リボルバー式レンズ３の回転中心の位置に、ダイレクトドライブモータ９ａ（以下、ＤＤモータと称す）が設けられ、ステー１１により支持されて固定されている。このＤＤモータ９ａの外周部９ｃが、リボルバー式レンズ３の回転中心に設けられた凹部３ｎに嵌着して固定されている。このとき、リボルバー式レンズ３の凹部３ｎとＤＤモータ９ａの外周部９ｃとは、位置ずれしない強度で嵌着している。また、光センサ８、および、位置マーク３ｋについては、第６の実施の形態と同様であるため、説明を省略する。これにより、カメラ３００は、図示しないレンズ切換えスイッチによって、所定のズーム位置を容易に得るとともに、アクチュエータ９を回転軸に備えることによって、カメラのサイズを小さくすることができる。
【００３４】
［第８の実施の形態］
図１０（ａ）は第８の実施の形態であるカメラ４００を示す平面図で、図１０（ｂ）は図１０（ａ）に示すＥ−Ｅ線の断面図である。
図１０（ｂ）に示すように、リボルバー式レンズ３の回転中心の位置に、傘歯車１７を備えている。モータ１９が、モータ１９に備えられたフランジ１９ｃによってケース１に固定されている。このモータ１９の回転軸に傘歯車１８がもうけられている。これらの傘歯車１７,１８が噛み合い、リボルバー式レンズ３がモータ駆動される。また、光センサ８、および、位置マーク３ｋについては、第６の実施の形態と同様であるため、説明を省略する。これにより、カメラ４００は、図示しないレンズ切換えスイッチによって所定のレンズ位置を容易に得ることができる。
【００３５】
［第９の実施の形態］
図１１は、カメラ１０、およびカメラ１００を用いた携帯電話を操作する様子を示す正面図である。カメラ１０とカメラ１００とは、外形および操作方法がほぼ同一であり、ここではカメラ１０を用いて説明する。図１１に示すように、携帯電話２０の上部にリボルバー式レンズ３を用いたカメラ１０を内蔵し、リボルバー式レンズ３の外周のセレーションに片方の人差し指を当て、人差し指による操作によって希望の仕様に合わせてリボルバー式レンズ３を回動して選択することにより、望遠や広角や接写等の撮影が簡単にできる。
なお、レンズ３ｄを通った光は撮像素子（ＣＣＤやＣＭＯＳ）４（図３参照）で受光された後、Ａ／Ｄ変換回路によってデジタル信号に変換され、記憶素子（メモリー）に記録される。また、データは再生され、またはデータをテレビ送信して映し出したり、カラープリンタで出力したり、パソコンに取り込んで画像処理する、あるいは電話回線を使用して送信するなどの技術は公知の技術であるので、詳細な説明は省略する。リボルバー式レンズ３の近傍には、フラッシュ５０が装着されている。また、カメラ２００、カメラ３００、カメラ４００を用いた場合は、図示しないレンズ切換えスイッチを押すことによって、希望の仕様に合わせてリボルバー式レンズ３を回動して選択することにより、望遠や広角や接写等の撮影がワンタッチでできる。
【００３６】
［第１０の実施の形態］
図１２はカメラ１０を用いたデジタルカメラを操作する様子を示す正面図である。第６の実施の形態と同様にカメラ１０を用いて説明する。図１２に示すように、デジタルカメラ３０の外側にリボルバー式レンズ３を用いたカメラ１０を内蔵し、リボルバー式レンズ３のセレーションに片方の人差し指を当て、希望の仕様に合わせてリボルバー式レンズ３を選択することにより、望遠、広角、集合写真、グループ写真、ポートレートおよび接写等の撮影が簡単にできる。リボルバー式レンズ３の近傍には、フラッシュ６０が装着されている。また、カメラ２００、カメラ３００、カメラ４００を用いた場合は、図示しないレンズ切換えスイッチを押すことによって、希望の仕様に合わせてリボルバー式レンズ３を回動して選択することにより、望遠、広角、集合写真、グループ写真、ポートレートおよび接写等の撮影が簡単にできる。
【００３７】
ここで、図３、図１１を参照して動作について説明する。
図１１に示すように、携帯電話２０の本体を開き、カメラ１０を被写体に向け、望遠か広角か接写か等の６種類の仕様の中から選択しながら、片手の人差し指をリボルバー式レンズ３の外周に当ててリボルバー式レンズ３の基体３ａ（図３参照）を回動する。すると、図３（ａ）に示すように、ノッチ（係合部材）１ａがＶ溝を入っては乗り上げて通過しながら、所定位置のＶ溝３ｄ１に係合して位置を決める。例えば、集合写真の撮影であれば、非球面レンズ３ｄを選択すればよい。そして、画面を見ながら構図を決めて写真撮影用釦（図示せず）を押すことで、撮影が終了する。
【００３８】
また、カメラ１０のカバー２（図３参照）に設けられた透明体５のフィルタまたはレンズに模様や色彩が施されたものを用いることによって、これらの模様や色彩が画角内に入り、所望の被写体とともに撮影できる。さらに、各種図柄を持った映像なども撮ることができる。
【００３９】
なお、本発明はその技術思想の範囲内で種々の改造、変更が可能であり、本発明はこの改造、変更された発明にもおよぶことは当然である。例えば、リボルバー式レンズ３およびリボルバー式レンズ２３は、それぞれ６個の非球面レンズ３ｂ、３ｃ…３ｇ、２３ｂ、２３ｃ…２３ｇとしたが、複数個である２個、３個、４個…としても構わない。また、複数個の非球面レンズは凸レンズとしたが、凹レンズであってもよい。また、リボルバー式レンズ３、２３の基体３ａ、２３ａの中央に凸部３ｈ、３ｉ、２３ｈ、２３ｉを設けたが、穴をあけて別部品を組付けてもよいし、凹状のくぼみを設けても構わない。
また、第１〜５実施の形態ではリボルバー式レンズ３、２３の外周径は、例えばφ１６ｍｍとしたが、今後の商品の小型化（軽薄短小）のニーズに対応するために、例えば、φ４ｍｍまで縮小しても構わないし、拡大しても構わない。
さらに、ノート型パソコンに搭載したカメラとしてもよいし、ＰＤＡ（Personal digital assistant:携帯用コンピュータ）を駆使したカメラに採用してもよい。また、非球面レンズの材質は、透明プラスチックとしたが、透明ガラスでも構わないし、透明であれば、その他の材料を用いても構わない。
また、すべり止めに、セレーションまたはローレットを形成したが、指の滑りを防止することができるものであれば、セレーションまたはローレットに限るものではない。
【図面の簡単な説明】
【００４０】
【図１】本発明のリボルバー式レンズを示す斜視図である。
【図２】図３（ａ）に示すレンズの中心線ａを展開した展開断面図である。
【図３】（ａ）はカメラを示す平面図で、（ｂ）は（ａ）に示すＡ−Ａ線の断面図である。
【図４】本発明のリボルバー式レンズを示す斜視図である。
【図５】図６（ａ）に示すレンズの中心線ｂを展開した展開断面図である。
【図６】（ａ）はカメラを示す平面図で、（ｂ）は（ａ）に示すＢ−Ｂ線の断面図である。
【図７】本発明のセレーションリングを説明する図であり、（ａ）は斜視図、（ｂ）はカメラに組み込まれた様子を示す断面図である。
【図８】（ａ）はカメラを示す平面図で、（ｂ）は（ａ）に示すＣ−Ｃ線の断面図である。
【図９】（ａ）はカメラを示す平面図で、（ｂ）は（ａ）に示すＤ−Ｄ線の断面図である。
【図１０】（ａ）はカメラを示す平面図で、（ｂ）は（ａ）に示すＥ−Ｅ線の断面図である。
【図１１】本発明のカメラを用いた携帯電話を操作する様子を示す正面図である。
【図１２】本発明のカメラを用いたデジタルカメラを操作する様子を示す正面図である。
【図１３】従来のカメラ付携帯電話を示し、（ａ）は正面図、（ｂ）は右側面図である。
【符号の説明】
【００４１】
１、１１、１１１    ケース
１ａ、１１ａ        ノッチ（係合部材）
１ｂ、２ｂ、１１ｂ、１２ｂ    切り欠き
１ｃ、２ｃ、３ｎ    凹部
２、１２、１１２    カバー
３、２３            リボルバー式レンズ
３ａ、２３ａ        基体
３ｂ、３ｃ、３ｄ、３ｅ、３ｆ、３ｇ    非球面レンズ
２３ｂ、２３ｃ、２３ｄ、２３ｅ、２３ｆ、２３ｇ    非球面レンズ
３ｈ、３ｉ、２３ｈ、２３ｉ    凸部
３ｋ                位置マーク
３ｂ１、３ｃ１、３ｄ１、３ｅ１、３ｆ１、３ｇ１    Ｖ溝
２３ｂ１、２３ｃ１、２３ｄ１、２３ｅ１、２３ｆ１、２３ｇ１    Ｖ溝
３３ｂ１、３３ｃ１、３３ｄ１、３３ｅ１、３３ｆ１、３３ｇ１    Ｖ溝
４、１４        撮像素子（ＣＣＤまたはＣＭＯＳ）
５、１５        透明体（カバー、フィルタ、レンズ）
３ｒ、６        平歯車
７、９、１９    アクチュエータ
７ａ、９ａ、１９ａ    モータ本体
７ｂ    雄ねじ（モータの外周に設けられたねじ）
７ｃ    モータシャフト
８      光センサ
８ａ    センサ本体
８ｂ    ファイバー管
９ｃ    外周部
１１    ステー
１５ａ、１５ｂ    レンズ
１６    ホルダ
１７、１８    傘歯車
１０、１００、２００、３００、４００    カメラ
２０          携帯電話
３０          デジタルカメラ
３３          セレーションリング（またはローレットリング）
５０、６０    フラッシュ
【手続補正書】
【提出日】平成16年6月25日(2004.6.25)
【手続補正１】
【補正対象書類名】特許請求の範囲
【補正対象項目名】全文
【補正方法】変更
【補正の内容】
【特許請求の範囲】
【請求項１】
円盤状の基体（２３ａ）と、
前記基体（２３ａ）の回転軸（２３ｈ，２３ｉ）から等距離に配置された複数の厚みの異なる非球面レンズ（２３ｂ,２３ｃ,２３ｄ,２３ｅ,２３ｆ,２３ｇ）と
を有し、
前記基体（２３ａ）および前記非球面レンズ（２３ｂ,２３ｃ,２３ｄ,２３ｅ,２３ｆ,２３ｇ）を一体に形成し、
前記非球面レンズ（２３ｂ,２３ｃ,２３ｄ,２３ｅ,２３ｆ,２３ｇ）が、前記回転軸（２３ｈ，２３ｉ）に沿って互いに段差を有して配置されるリボルバー式レンズ（２３）と、
前記リボルバー式レンズ（２３）より被写体側で同じ光軸上にあってレンズなどを含む交換可能な透明体（１５）と
を備え、
前記リボルバー式レンズと前記透明体とを組み合わせたものであることを特徴とするカメラ（１００）。
【請求項２】
前記リボルバー式レンズ（２３）を回転させるためのアクチュエータ（９）を前記リボルバー式レンズ（２３）の前記回転軸（２３ｈ，２３ｉ）に備えていることを特徴とする請求項１に記載のリボルバー式レンズ（２３）。
【請求項３】
前記アクチュエータ（９）は、モータ（９ａ）によって駆動されることを特徴とする請求項２に記載のリボルバー式レンズ（２３）。
【請求項４】
前記モータ（９ａ）は、ＤＤモータ（ダイレクトドライブモータ）（９ａ）であることを特徴とする請求項３に記載のリボルバー式レンズ（２３）。
【請求項５】
請求項１に記載されたカメラ（１００）を備えることを特徴とする携帯電話（２０）。
【請求項６】
請求項１に記載されたカメラ（１００）を備えることを特徴とするデジタルカメラ（３０）。
【手続補正２】
【補正対象書類名】明細書
【補正対象項目名】全文
【補正方法】変更
【補正の内容】
【発明の詳細な説明】
【技術分野】
【０００１】
本発明は、携帯電話やカメラ等に使用されるリボルバー式レンズおよびそれを用いたカメラ付携帯電話並びにデジタルカメラに関する。
【背景技術】
【０００２】
最近、小さな非球面レンズが開発され、携帯電話のカメラに内蔵され、カメラ付携帯電話として普及しはじめている（例えば、特許文献１参照）。図１３は、従来のカメラ付携帯電話２４０を示し、図１３（ａ）は正面図、図１３（ｂ）は右側面図である。図１３に示すように、このカメラ付携帯電話２４０の上部には、カメラ２１６が内蔵されており、カメラ２１６を覆うカバー２１２を下方にスライドするとカメラ２１６が現われるようになっている。このカメラ２１６のレンズは、１個であり、倍率を変えるにはズーム等の光学式倍率を２〜３倍にして接写仕様に対応している。
【特許文献１】特開２００２−３００２５７号公報（図１）
【発明の開示】
【発明が解決しようとする課題】
【０００３】
しかしながら、光学式による倍率の調節では、望遠と広角と接写といった幅広い仕様のニーズには対応できないという問題があった。
【０００４】
そこで、本発明は、レンズの交換によって望遠と広角と接写等が容易に対応できるリボルバー式のレンズと、それを用いた携帯電話およびデジタルカメラを提供することを課題とする。
【課題を解決するための手段】
【０００５】
前記した課題を解決するために、請求項１に記載された発明に係るカメラ（１００）は、円盤状の基体（２３ａ）と、前記基体（２３ａ）の回転軸（２３ｈ，２３ｉ）から等距離に配置された複数の厚みの異なる非球面レンズ（２３ｂ,２３ｃ,２３ｄ,２３ｅ,２３ｆ,２３ｇ）とを有し、前記基体（２３ａ）および前記非球面レンズ（２３ｂ,２３ｃ,２３ｄ,２３ｅ,２３ｆ,２３ｇ）を一体に形成し、前記非球面レンズ（２３ｂ,２３ｃ,２３ｄ,２３ｅ,２３ｆ,２３ｇ）が、前記回転軸（２３ｈ，２３ｉ）に沿って互いに段差を有して配置されるリボルバー式レンズ（２３）と、前記リボルバー式レンズ（２３）より被写体側で同じ光軸上にあってレンズなどを含む交換可能な透明体（１５）とを備え、前記リボルバー式レンズ（２３）と前記透明体とを組み合わせたものであることを特徴とする。
【０００６】
請求項１に記載された発明によれば、円盤状の基体と、基体の回転軸から等距離に配置された複数の厚みの異なる非球面レンズとを有し、基体および非球面レンズを一体に形成し、非球面レンズが、回転軸に沿って互いに段差を有して配置されるリボルバー式レンズと、リボルバー式レンズより被写体側で同じ光軸上にあってレンズなどを含む交換可能な透明体とを備え、リボルバー式レンズと透明体とを組み合わせたものであるため、望遠、広角、接写等の用途に応じたレンズ交換を簡単迅速に、高精度に行うことができる。さらに、このリボルバー式レンズの被写体側には、交換可能な複数のレンズが設けられているため、望遠、広角、接写等の多用途の撮影が可能となり、しかも、コンパクトで、ズーム機能を不要とする携帯型のカメラを提供することができるという顕著な効果を奏します。
【０００７】
請求項２に記載された発明に係るリボルバー式レンズ（２３）は、請求項１に記載されたカメラ（１００）において、前記リボルバー式レンズ（２３）を回転させるためのアクチュエータ（９）を前記リボルバー式レンズ（２３）の前記回転軸（２３ｈ，２３ｉ）に備えていることを特徴とする。
【０００８】
請求項２に記載された発明によれば、アクチュエータを回転軸に備えたため、カメラのサイズを小さくすることができる。また、リボルバー式レンズの回転軸をダイレクト駆動させることができるため、アクチュエータが回転軸と一体に設けられ、カメラサイズをさらにコンパクトにすることができる。
【０００９】
請求項３に記載されたリボルバー式レンズ（２３）は、請求項２に記載のリボルバー式レンズ（２３）において、前記アクチュエータ（９）は、モータ（９ａ）によって駆動されることを特徴とする。
【００１０】
請求項３に記載された発明によれば、リボルバー式レンズが、モータによって回転するため、リボルバー式レンズを外光から遮断して設けることができる。これにより、外光がカメラ内にはいることを防止することができる。
【００１１】
請求項４に記載されたリボルバー式レンズ（２３）は、請求項３に記載のリボルバー式レンズ（２３）において、前記モータ（９ａ）は、ＤＤモータ（ダイレクトドライブモータ）（９ａ）であることを特徴とする。
【００１２】
請求項４に記載された発明によれば、モータを回転軸に備えたため、カメラのサイズを小さくすることができる。
【００１３】
請求項５に記載された携帯電話（２０）は、請求項１に記載されたカメラ（１００）を備えることを特徴とする。
【００１４】
請求項５に記載された発明によれば、望遠、広角、接写等の多用途の撮影がリボルバー式レンズの切換えによって可能となるカメラ付の携帯電話を提供することができる。
【００１５】
請求項６に記載されたデジタルカメラ（３０）は、請求項１に記載されたカメラ（１００）を備えることを特徴とする。
【００１６】
請求項６に記載された発明によれば、望遠、広角、接写等の多用途の撮影がリボルバー式レンズの切換えによって可能となり、しかも、コンパクトで、ズーム機能を不要とする携帯型のデジタルカメラを提供することができる。
【発明の効果】
【００１７】
請求項１に記載された発明によれば、このリボルバー式レンズの被写体側で同じ光軸上にあってレンズなどを含む交換可能な透明体が設けられ、さらに、前記リボルバー式レンズには、非球面レンズが、回転軸に沿って厚みの薄い順から互いに段差を有して配置されているため、望遠、広角、接写等の用途に応じたレンズ交換を簡単迅速に、さらに、高精度に行うことができる。
【００１８】
請求項２に記載された発明によれば、アクチュエータを回転軸に備えたため、カメラのサイズを小さくすることができる。また、リボルバー式レンズの回転軸をダイレクト駆動させることができるため、アクチュエータが回転軸と一体に設けられ、カメラサイズをさらにコンパクトにすることができる。
【００１９】
請求項３に記載された発明によれば、リボルバー式レンズが、モータによって回転するため、リボルバー式レンズを外光から遮断して設けることができる。これにより、外光がカメラ内にはいることを防止することができる。
【００２０】
請求項４に記載された発明によれば、モータを回転軸に備えたため、カメラのサイズを小さくすることができる。
【００２１】
請求項５に記載された発明によれば、望遠、広角、接写等の多用途の撮影がリボルバー式レンズの切換えによって可能となるカメラ付の携帯電話を提供することができる。
【００２２】
請求項６に記載された発明によれば、望遠、広角、接写等の多用途の撮影がリボルバー式レンズの切換えによって可能となり、しかも、コンパクトで、ズーム機能を不要とする携帯型のデジタルカメラを提供することができる。
【発明を実施するための最良の形態】
【００２３】
次に、本発明の実施の形態について図を参照しながら詳細に説明する。
［第１の実施の形態］
図１は、第１の実施の形態であるリボルバー式レンズを示す斜視図である。
図１に示すように、リボルバー式レンズ３は、円盤状の基体３ａの中心から等距離に複数の異なる非球面レンズ３ｂ，３ｃ…３ｇが配置されている。また、基体３ａと複数の異なる非球面レンズ３ｂ，３ｃ…３ｇは一体に成形されている。円盤状の基体３ａの外周には、非球面レンズ３ｂ，３ｃ…３ｇの位置決め用としてＶ溝３ｂ１，３ｃ１，３ｄ１，３ｅ１，３ｆ１，３ｇ１が６等配で設けられている。
また、円盤状の基体３ａの外周には、位置決め用のＶ溝３ｂ１，３ｃ１，３ｄ１，３ｅ１，３ｆ１，３ｇ１の他に、すべり止め用の細かいセレーション（またはローレットでも良い）が設けられている。また、基体３ａの中心には、回転軸となるピン状の凸部３ｈ，３ｉが形成されており、後記するケース１（図３参照）に設けられた凹部１ｃ（図３（ｂ）参照）にピン状の凸部３ｉが嵌入し、後記するカバー２（図３（ｂ）参照）に設けられた凹部２ｃ（図３（ｂ）参照）にピン状の凸部３ｈが嵌入することによって、リボルバー式レンズ３は、ケース１とカバー２に直角に保持され、回動自在になっている。
【００２４】
図２は後記する図３（ａ）に示すレンズの中心線ａを展開した展開断面図である。
図２に示すように、リボルバー式レンズ３（図３（ａ）参照）の非球面レンズは、円盤状の基体３ａ（図３（ａ）参照）の中心から等距離に配置されている。ここでは非球面レンズは、６個が６等配で一体に成形されており、材質は透明プラスチックであり、レンズの直径は例えばφ３ｍｍである。レンズの厚みの薄い順からレンズ３ｂ，３ｃ，３ｄ，３ｅ，３ｆ，３ｇが並んでいる。
【００２５】
［第２の実施の形態］
図３（ａ）は第２の実施の形態であるカメラ１０を示す平面図で、図３（ｂ）は、図３（ａ）に示すＡ−Ａ線の断面図である。
図３（ｂ）に示すように、カメラ１０は、リボルバー式レンズ３と、リボルバー式レンズ３の後面（図では下面）を支持するケース１と、前面（図では上面）を支持するカバー２と、光を電気信号に変換する撮像素子（ＣＣＤまたはＣＭＯＳ）４とから構成されている。また、カバー２の光を通す透明体５は、レンズを保護するカバーであるが、フィルタであってもよい。また、このフィルタには、模様や色が施してあり、例えば、カメラで写真を撮ったときに、これらの模様や色が画角内に入り、所望の被写体とともに撮影される。
【００２６】
図３（ａ）に示すように、ケース１とカバー２（図３（ｂ）参照）の一端は、三日月状の切り欠き１ｂ、２ｂが設けられ、円盤状の基体３ａのすべり止めの機能を有するセレーションが露出するようになっている。また、右下隅には、例えば、Ｖ溝３ｄ１と係合する係合部材１ａがケース１に一体に設けられており、基体３ａのＶ溝３ｄ１が回動する場合は、一旦、係合部材１ａ（以下、ノッチとも称す）が下方に撓むため、強い付勢力が発生し、Ｖ溝３ｄ１にラフな位置決めがされて、Ｖ溝３ｄ１に先端部である円筒面状の係合部材１ａが飛び込んで係合すると、円筒面状の係合部材１ａは弱い付勢力によって、Ｖ溝３ｄ１の壁面に当接し、リボルバー式レンズ３の位置を決め、その位置を保持する。
【００２７】
［第３の実施の形態］
図４は第３の実施の形態であるリボルバー式レンズを示す斜視図である。
図４に示すように、リボルバー式レンズ２３は、円盤状の基体２３ａの中心軸から等距離に複数の異なる非球面レンズ２３ｂ，２３ｃ，２３ｄ，２３ｅ，２３ｆ，２３ｇの少なくとも一つが段差を持って配置されており、本実施の形態では、非球面レンズ２３ｂ，２３ｄ，２３ｆが同一水平面上に配置され、非球面レンズ２３ｃ，２３ｅ，２３ｇが非球面レンズ２３ｂ，２３ｄ，２３ｆとは段差を有して配置されている。また、基体２３ａと複数の異なる非球面レンズ２３ｂ，２３ｃ…２３ｇは一体に成形されている。円盤状の基体２３ａの外周には、非球面レンズ２３ｂ，２３ｃ，２３ｄ，２３ｅ，２３ｆ，２３ｇの位置決め用としてＶ溝２３ｂ１，２３ｃ１，２３ｄ１，２３ｅ１，２３ｆ１，２３ｇ１が６等配で設けられている。
また、円盤状の基体２３ａの外周には、位置決め用のＶ溝２３ｂ１，２３ｃ１，２３ｄ１，２３ｅ１，２３ｆ１，２３ｇ１の他に、すべり止め用の細かいセレーション（またはローレットでも良い）が設けられている。また、基体２３ａの中心には、回転軸となるピン状の凸部２３ｈ，２３ｉが形成されており、後記するケース１１（図６参照）に設けられた凹部２１ｃ（図６（ｂ）参照）にピン状の凸部２３ｉが嵌入し、カバー１２（図６（ｂ）参照）に設けられた凹部２２ｃ（図６（ｂ）参照）にピン状の凸部２３ｈが嵌入することによって、リボルバー式レンズ２３は、ケース１１とカバー１２に直角に保持され、回動自在になっている。
【００２８】
図５は後記する図６（ａ）に示すレンズの中心線ｂを展開した展開断面図である。
図５に示すように、リボルバー式レンズ２３（図６（ａ）参照）の非球面レンズは、円盤状の基体２３ａ（図６（ｂ）参照）の中心軸から等距離に配置されている。この中心軸はリボルバー式レンズ２３の回転軸の中心である。ここでは非球面レンズは、６個が６等配で一体に成形されており、材質は透明プラスチックであり、レンズの直径は例えばφ３ｍｍである。レンズの厚みの薄い順からレンズ２３ｂ，２３ｃ，２３ｄ，２３ｅ，２３ｆ，２３ｇが、互いに段差を有して並んでいる。
なお、非球面レンズの材質は、透明プラスチックとしたが、透明ガラスでも構わないし、透明であれば、その他の材料を用いても構わない。また、これらの段差は、本実施の形態に限るものではなく、適宜、各種バリエーションで配置することができる。
【００２９】
［第４の実施の形態］
図６（ａ）は第４の実施の形態であるカメラ１００を示す平面図で、図６（ｂ）は図６（ａ）に示すＢ−Ｂ線の断面図である。
図６（ｂ）に示すように、カメラ１００は、リボルバー式レンズ２３と、リボルバー式レンズ２３の後面（図では下面）を支持するケース１１と、前面（図では上面）を支持するカバー１２と、光を電気信号に変換する撮像素子（ＣＣＤまたはＣＭＯＳ）１４とから構成されている。また、カバー１２の光を通す透明体１５は、リボルバー式レンズ２３を保護するカバーであるが、本実施の形態では複数のレンズ１５ａ，１５ｂが配設されている。カメラ１００は、撮像素子１４が受光する光の光軸上のリボルバー式レンズ２３より被写体側にレンズ１５を備えている。このレンズ１５は、複数のレンズ１５ａ，１５ｂからなり、ホルダ１６に納められており、取り外し自在になっている。これにより、別途構成された複数のレンズやフィルタを納めた他のホルダ（図略）と交換することによって、望遠や広角や接写等の用途に応じたレンズ交換を簡単迅速に、さらに、高精度に行うことができる。また、これらのフィルタやレンズに模様や色彩が施されたものを用いることによって、これらの模様や色彩が画角内に入り、所望の被写体とともに撮影をすることができる。
【００３０】
図６（ａ）に示すように、ケース１１とカバー１２の一端には、三日月状の切り欠き１１ｂ、１２ｂが設けられ、円盤状の基体２３ａのすべり止めの機能を有するセレーションが露出するようになっている。また、右下隅には、例えば、Ｖ溝２３ｄ１と係合する係合部材１１ａがケース１１に一体に設けられており、基体２３ａのＶ溝２３ｄ１が回動する場合は、一旦係合部材１１ａが下方に撓むため、強い付勢力が発生し、Ｖ溝２３ｄ１にラフな位置決めがされて、先端部である円筒面状の係合部材１１ａがＶ溝２３ｄ１に飛び込んで係合すると、円筒面状の係合部材１１ａは弱い付勢力によって、Ｖ溝２３ｄ１の壁面に当接し、リボルバー式レンズ２３の位置を決め、その位置を保持する。
【００３１】
［第５の実施の形態］
図７は円盤状の基体３ａを回転させる指のすべり止め用の細かいセレーションリングを説明する図であり、図７（ａ）は斜視図、図７（ｂ）はカメラに組み込まれた様子を示す断面図である。図７に示すように、セレーションリング３３が、リボルバー式レンズ３の外周に固定されている。セレーションリング３３は、不透明な材料で形成されており、本実施の形態では不透明なプラスチックで形成されている。この不透明なプラスチックで形成されたセレーションリング３３は、リボルバー式レンズ３が複数の非球面レンズ３ａ，３ｂ，３ｃ，３ｄ，３ｅ，３ｆ，３ｇで一体に形成されているため、セレーションおよびその周辺から光が漏れて、光がカメラ内に進入するのを防いでいる。また、セレーションリング３３は、不透明なプラスチックで形成されているが、リボルバー式レンズ３の外周を塗装して光の進入を防止しても良い。また、セレーションおよびその周辺のエリア（レンズ以外のエリア）を不透明なプラスチックで形成するように２色成形を用いて一体に成形しても良い。
【００３２】
［第６の実施の形態］
図８（ａ）は第６の実施の形態であるカメラ２００を示す平面図で、図８（ｂ）は図８（ａ）に示すＣ−Ｃ線の断面図である。
図８（ｂ）に示すように、カメラ２００には、リボルバー式レンズ３を回転させるためのアクチュエータ７をリボルバー式レンズ３の外周の端面に備えている。このアクチュエータ７を構成するモータ７ａには平歯車６が装着され、この平歯車６がリボルバー式レンズ３の外周に設けられた平歯車３ｒと噛み合い、リボルバー式レンズ３が回転する。また、リボルバー式レンズ３の裏面には、バーコード状の位置マーク３ｋが刻まれている。この刻みの底は、黒色に塗装されている。さらに、リボルバー式レンズ３の下面には、光センサ８に接続されたファイバー管８ｂが設けられている。この光センサ８が、ファイバー管８ｂを介して位置マーク３ｋを検出することによって、リボルバー式レンズ３の停止位置が、図示しない制御装置によって制御される。
なお、位置マーク３ｋは、バーコード状に筋を入れて黒色に塗られていても良いし、同様の模様を有したシールを貼っても良い。また、位置マーク３ｋは、バーコード状ではなく、リボルバー式レンズ３の停止位置を示すことができれば、ドット状のマークでも良いし、特に限定するものではない。また、位置マーク３ｋの色は、黒色に限らず他の色であっても構わない。
これにより、リボルバー式レンズ３は、アクチュエータ７によって所定の位置まで回転して、カメラ２００のレンズ切換えが制御される。このように、リボルバー式レンズ３は、モータ駆動されるため、外光から遮蔽してカメラ２００内に設けることができる。そのため、外光がカメラ２００内にはいることを防止することができる。
【００３３】
［第７の実施の形態］
図９（ａ）は第７の実施の形態であるカメラ３００を示す平面図で、図９（ｂ）は図９（ａ）に示すＤ−Ｄ線の断面図である。
図９（ｂ）に示すように、リボルバー式レンズ３の回転中心の位置に、ダイレクトドライブモータ９ａ（以下、ＤＤモータと称す）が設けられ、ステー１１により支持されて固定されている。このＤＤモータ９ａの外周部９ｃが、リボルバー式レンズ３の回転中心に設けられた凹部３ｎに嵌着して固定されている。このとき、リボルバー式レンズ３の凹部３ｎとＤＤモータ９ａの外周部９ｃとは、位置ずれしない強度で嵌着している。また、光センサ８、および、位置マーク３ｋについては、第６の実施の形態と同様であるため、説明を省略する。これにより、カメラ３００は、図示しないレンズ切換えスイッチによって、所定のズーム位置を容易に得るとともに、アクチュエータ９を回転軸に備えることによって、カメラのサイズを小さくすることができる。
【００３４】
［第８の実施の形態］
図１０（ａ）は第８の実施の形態であるカメラ４００を示す平面図で、図１０（ｂ）は図１０（ａ）に示すＥ−Ｅ線の断面図である。
図１０（ｂ）に示すように、リボルバー式レンズ３の回転中心の位置に、傘歯車１７を備えている。モータ１９が、モータ１９に備えられたフランジ１９ｃによってケース１に固定されている。このモータ１９の回転軸に傘歯車１８がもうけられている。これらの傘歯車１７,１８が噛み合い、リボルバー式レンズ３がモータ駆動される。また、光センサ８、および、位置マーク３ｋについては、第６の実施の形態と同様であるため、説明を省略する。これにより、カメラ４００は、図示しないレンズ切換えスイッチによって所定のレンズ位置を容易に得ることができる。
【００３５】
［第９の実施の形態］
図１１は、カメラ１０、およびカメラ１００を用いた携帯電話を操作する様子を示す正面図である。カメラ１０とカメラ１００とは、外形および操作方法がほぼ同一であり、ここではカメラ１０を用いて説明する。図１１に示すように、携帯電話２０の上部にリボルバー式レンズ３を用いたカメラ１０を内蔵し、リボルバー式レンズ３の外周のセレーションに片方の人差し指を当て、人差し指による操作によって希望の仕様に合わせてリボルバー式レンズ３を回動して選択することにより、望遠や広角や接写等の撮影が簡単にできる。
なお、レンズ３ｄを通った光は撮像素子（ＣＣＤやＣＭＯＳ）４（図３参照）で受光された後、Ａ／Ｄ変換回路によってデジタル信号に変換され、記憶素子（メモリー）に記録される。また、データは再生され、またはデータをテレビ送信して映し出したり、カラープリンタで出力したり、パソコンに取り込んで画像処理する、あるいは電話回線を使用して送信するなどの技術は公知の技術であるので、詳細な説明は省略する。リボルバー式レンズ３の近傍には、フラッシュ５０が装着されている。また、カメラ２００、カメラ３００、カメラ４００を用いた場合は、図示しないレンズ切換えスイッチを押すことによって、希望の仕様に合わせてリボルバー式レンズ３を回動して選択することにより、望遠や広角や接写等の撮影がワンタッチでできる。
【００３６】
［第１０の実施の形態］
図１２はカメラ１０を用いたデジタルカメラを操作する様子を示す正面図である。第６の実施の形態と同様にカメラ１０を用いて説明する。図１２に示すように、デジタルカメラ３０の外側にリボルバー式レンズ３を用いたカメラ１０を内蔵し、リボルバー式レンズ３のセレーションに片方の人差し指を当て、希望の仕様に合わせてリボルバー式レンズ３を選択することにより、望遠、広角、集合写真、グループ写真、ポートレートおよび接写等の撮影が簡単にできる。リボルバー式レンズ３の近傍には、フラッシュ６０が装着されている。また、カメラ２００、カメラ３００、カメラ４００を用いた場合は、図示しないレンズ切換えスイッチを押すことによって、希望の仕様に合わせてリボルバー式レンズ３を回動して選択することにより、望遠、広角、集合写真、グループ写真、ポートレートおよび接写等の撮影が簡単にできる。
【００３７】
ここで、図３、図１１を参照して動作について説明する。
図１１に示すように、携帯電話２０の本体を開き、カメラ１０を被写体に向け、望遠か広角か接写か等の６種類の仕様の中から選択しながら、片手の人差し指をリボルバー式レンズ３の外周に当ててリボルバー式レンズ３の基体３ａ（図３参照）を回動する。すると、図３（ａ）に示すように、ノッチ（係合部材）１ａがＶ溝を入っては乗り上げて通過しながら、所定位置のＶ溝３ｄ１に係合して位置を決める。例えば、集合写真の撮影であれば、非球面レンズ３ｄを選択すればよい。そして、画面を見ながら構図を決めて写真撮影用釦（図示せず）を押すことで、撮影が終了する。
【００３８】
また、カメラ１０のカバー２（図３参照）に設けられた透明体５のフィルタまたはレンズに模様や色彩が施されたものを用いることによって、これらの模様や色彩が画角内に入り、所望の被写体とともに撮影できる。さらに、各種図柄を持った映像なども撮ることができる。
【００３９】
なお、本発明はその技術思想の範囲内で種々の改造、変更が可能であり、本発明はこの改造、変更された発明にもおよぶことは当然である。例えば、リボルバー式レンズ３およびリボルバー式レンズ２３は、それぞれ６個の非球面レンズ３ｂ，３ｃ…３ｇ，２３ｂ，２３ｃ…２３ｇとしたが、複数個である２個，３個，４個…としても構わない。また、複数個の非球面レンズは凸レンズとしたが、凹レンズであってもよい。また、リボルバー式レンズ３，２３の基体３ａ，２３ａの中央に凸部３ｈ，３ｉ，２３ｈ，２３ｉを設けたが、穴をあけて別部品を組付けてもよいし、凹状のくぼみを設けても構わない。
また、第１〜５実施の形態ではリボルバー式レンズ３，２３の外周径は、例えばφ１６ｍｍとしたが、今後の商品の小型化（軽薄短小）のニーズに対応するために、例えば、φ４ｍｍまで縮小しても構わないし、拡大しても構わない。
さらに、ノート型パソコンに搭載したカメラとしてもよいし、ＰＤＡ（Personal digital assistant:携帯用コンピュータ）を駆使したカメラに採用してもよい。また、非球面レンズの材質は、透明プラスチックとしたが、透明ガラスでも構わないし、透明であれば、その他の材料を用いても構わない。
また、すべり止めに、セレーションまたはローレットを形成したが、指の滑りを防止することができるものであれば、セレーションまたはローレットに限るものではない。
【図面の簡単な説明】
【００４０】
【図１】本発明のリボルバー式レンズを示す斜視図である。
【図２】図３（ａ）に示すレンズの中心線ａを展開した展開断面図である。
【図３】（ａ）はカメラを示す平面図で、（ｂ）は（ａ）に示すＡ−Ａ線の断面図である。
【図４】本発明のリボルバー式レンズを示す斜視図である。
【図５】図６（ａ）に示すレンズの中心線ｂを展開した展開断面図である。
【図６】（ａ）はカメラを示す平面図で、（ｂ）は（ａ）に示すＢ−Ｂ線の断面図である。
【図７】本発明のセレーションリングを説明する図であり、（ａ）は斜視図、（ｂ）はカメラに組み込まれた様子を示す断面図である。
【図８】（ａ）はカメラを示す平面図で、（ｂ）は（ａ）に示すＣ−Ｃ線の断面図である。
【図９】（ａ）はカメラを示す平面図で、（ｂ）は（ａ）に示すＤ−Ｄ線の断面図である。
【図１０】（ａ）はカメラを示す平面図で、（ｂ）は（ａ）に示すＥ−Ｅ線の断面図である。
【図１１】本発明のカメラを用いた携帯電話を操作する様子を示す正面図である。
【図１２】本発明のカメラを用いたデジタルカメラを操作する様子を示す正面図である。
【図１３】従来のカメラ付携帯電話を示し、（ａ）は正面図、（ｂ）は右側面図である。
【符号の説明】
【００４１】
１，１１，１１１    ケース
１ａ，１１ａ        ノッチ（係合部材）
１ｂ，２ｂ，１１ｂ，１２ｂ    切り欠き
１ｃ，２ｃ，３ｎ    凹部
２，１２，１１２    カバー
３，２３            リボルバー式レンズ
３ａ，２３ａ        基体
３ｂ，３ｃ，３ｄ，３ｅ，３ｆ，３ｇ    非球面レンズ
２３ｂ，２３ｃ，２３ｄ，２３ｅ，２３ｆ，２３ｇ    非球面レンズ
３ｈ，３ｉ，２３ｈ，２３ｉ    凸部
３ｋ                位置マーク
３ｂ１，３ｃ１，３ｄ１，３ｅ１，３ｆ１，３ｇ１    Ｖ溝
２３ｂ１，２３ｃ１，２３ｄ１，２３ｅ１，２３ｆ１，２３ｇ１    Ｖ溝
３３ｂ１，３３ｃ１，３３ｄ１，３３ｅ１，３３ｆ１，３３ｇ１    Ｖ溝
４，１４        撮像素子（ＣＣＤまたはＣＭＯＳ）
５，１５        透明体（カバー，フィルタ，レンズ）
３ｒ，６        平歯車
７，９，１９    アクチュエータ
７ａ，９ａ，１９ａ    モータ本体
７ｂ    雄ねじ（モータの外周に設けられたねじ）
７ｃ    モータシャフト
８      光センサ
８ａ    センサ本体
８ｂ    ファイバー管
９ｃ    外周部
１１    ステー
１５ａ，１５ｂ    レンズ
１６    ホルダ
１７，１８    傘歯車
１０，１００，２００，３００，４００    カメラ
２０          携帯電話
３０          デジタルカメラ
３３          セレーションリング（またはローレットリング）
５０，６０    フラッシュ